(57)【要約】【課題】液体貯蔵タンクにおいて、タンク壁面の強度をほとんど低下させることなく、タンクの上下高さを低く抑えた状態でタンク容積を大きくできるようにするとともに、比較的簡単に成形し得る形状の各パーツで組立て得るようにする。【解決手段】筒形のタンク胴部２の両端開口部をそれぞれ凸曲面状の鏡部３，３で閉塞してなる横向き設置型の液体貯蔵タンクにおいて、タンク胴部２における該タンク胴部２の軸線方向と直交する方向の断面形状を上下高さＨの割りに左右幅Ｗを大きくした横長の長円形にしている。【選択図】  図１
2014151922.tif 000002
【特許請求の範囲】
【請求項１】
筒形のタンク胴部（２）の両端開口部をそれぞれ凸曲面状の鏡部（３，３）で閉塞してなる横向き設置型の液体貯蔵タンクであって、
上記タンク胴部（２）における該タンク胴部（２）の軸線方向と直交する方向の断面形状が、上下高さ（Ｈ）の割りに左右幅（Ｗ）を大きくした横長の長円形である、
ことを特徴とする液体貯蔵タンク。
【請求項２】
請求項１において、
上記タンク胴部（２）は、該タンク胴部（２）の上面部及び下面部のそれぞれ幅方向中央部に配置される所定幅の上下各平面板（２１，２１）とそれぞれ半円形状に折り曲げた左右各半円側板（２２，２２）とを用いて、上記各平面板（２１，２１）の側縁（２１ａ）と上記各半円側板（２２，２２）の側縁（２２ａ）とを溶接して断面長円形の筒状に形成したものである一方、
上記各鏡部（３，３）は、上記タンク胴部（２）の上記平面板（２１）と同幅の板材を上下に半円形状に折り曲げた１つの半円曲板（３１）と球面を平面視において１／４に分割した形状の２つの１／４球面板（３２，３２）とを用いて、上記半円曲板（３１）の各側縁（３１ａ）と上記各１／４球面板（３２，３２）の側縁（３２ａ）とを溶接して凸曲面状に形成したものであるとともに、
上記タンク胴部（２）の端部開口縁の形状と上記各鏡部（３，３）の端縁の形状とは相互に同形同大きさである、
ことを特徴とする液体貯蔵タンク。
【請求項３】
請求項２において、
上記タンク胴部（２）の上下各平面板（２１，２１）の板厚さ（Ｔ１）を該平面板以外のタンク構成板材の板厚さ（Ｔ２〜Ｔ４）より厚くしている、
ことを特徴する液体貯蔵タンク。
【請求項４】
請求項２又は３において、
上記タンク胴部（２）内に、上下の各平面板（２１，２１）を上下に連結する連結支柱（４２）を、タンク胴部（２）の長さ方向に間隔をもって複数本設置している、
ことを特徴する液体貯蔵タンク。
【請求項５】
請求項２又は３において、
タンク内に、上下の各平面板（２１，２１）を連結し且つタンク内の容積を左右に２分割する縦隔壁（４３）をタンクの全長に亘って介在させている、
ことを特徴する液体貯蔵タンク。
【発明の詳細な説明】
【技術分野】
【０００１】
本願発明は、液化ガスやその他の液体（例えば液状燃料や液体化学品等）を貯蔵するための液体貯蔵タンクに関するものである。
【背景技術】
【０００２】
この種の液体貯蔵タンクとしては、例えば、ＬＰＧ、ＬＥＧ、ＬＮＧ等の液化ガスを貯蔵する高圧対応の液化ガスタンクや、加圧を要しない液体（例えば液状燃料や液体化学品等）を貯蔵する比較的低圧対応の一般タンクがある。そして、これらの貨液（液化ガス、液状燃料、液体化学品等）は、タンクプラントの設備仕様に応じた加圧状態でタンク内に貯蔵される。
【０００３】
又、この種の液体貯蔵タンク（液化ガスタンクや一般タンク）は、液体貨物運搬船に搭載されて船舶による貨液の運搬に供される場合が多い。そして、液体貯蔵タンクを液体貨物運搬船に搭載した場合には、航行時の船体揺動によりタンク内の貨液が前後・左右に移動（スロッシング）し、そのときの貨液移動によりタンク壁面に衝撃が加わるという特性がある。従って、この種の液体貯蔵タンクでは、タンク内に貯留される貨液による静的及び動的圧力に対応した強度に設計する必要がある。
【０００４】
液体貯蔵タンクにおける内圧や上記スロッシングに対する強度は、タンク壁面を曲面状にすることで高めることができる。即ち、タンク強度は、タンク壁面が平面状のものより曲面状のもの（例えば円筒状のもの）が高くなり、さらに曲面状のタンク壁面の中でも球面状のものが一層高くなる。
【０００５】
ところで、同じ容積（総トン数）の船体において、球面状（球形）の液体貯蔵タンクでは、内圧に対するタンク強度が高くなるもののタンク容積が小さくなり、横向き円筒状の液体貯蔵タンクでも、タンクを収納する船体のホールドスペースの大きさの割にタンク容積が小さくなる。
【０００６】
又、球面状や円筒状の液体貯蔵タンクにおいて、タンク容積を大きくするためにタンク内径を円形のままで大きくすると、タンクの重心が高くなって安定性が悪くなる一方、タンクの上面高さが高くなる。この場合、例えば液体貨物運搬船に搭載する液体貯蔵タンクでは、該タンクが航行時の視界の邪魔になることがある。
【０００７】
他方、例えばタンクローリのタンクのように、タンク軸線方向と直交する断面形状を横長の略楕円形にしたものがある。このように断面横長の略楕円形のタンクでは、上下高さを抑えた状態でタンク容積を大きくできるという特徴がある。
【０００８】
ところが、このように断面横長の略楕円形のタンクは、タンクローリのタンク程度の比較的小さいのものに適用できるものの、例えば液体貨物運搬船に搭載するような大型の液体貯蔵タンクでは、タンク壁面を構成する各パーツの製作が非常に面倒となる。即ち、この種の液体貯蔵タンクは、所定小面積の各パーツに分割した各タンク材料を溶接により連続させて成形するが、楕円形状のタンクでは各パーツごとに曲面部分の曲率が異なるので、各部位ごとに多種類のパーツを製作する必要があるとともに、各部所の曲面形状の曲率を精密に成形する必要あるので非常に面倒となる。
【０００９】
又、従来から、図１２及び図１３に示すような双胴型タンク１０１が知られているが、この双胴型タンク１０１は、半円よりやや大きい円弧壁をもつ左右２つの円弧側板１２２，１２２を接合して双胴型のタンク胴部１０２を形成している一方、該タンク胴部１０２の長さ方向各端部の開口部をそれぞれ鏡部１０３，１０３で閉塞して構成されている。
【００１０】
ところで、図１２及び図１３に示す双胴型タンク１０１では、タンク胴部１０２（各円弧側板１２２，１２２）の全体が円弧曲面であり且つ各鏡部１０３，１０３が球面であるので、内圧や上記スロッシングに対して強度が高いものの、特に鏡部１０３における各パーツ（各曲面板１３３，１３４，１３５）の形状が異なるのでそれらの各パーツの製作が繁雑であるとともに、タンク胴部１０２の各円弧側板１２２，１２２同士の接合部が括れ部Ｐとなり且つ各鏡部１０３にも括れ部Ｑが生じるので、それらの括れ部Ｐ，Ｑの溶接作業が面倒であった。
【発明の概要】
【発明が解決しようとする課題】
【００１１】
そこで、本願発明は、タンク壁面の強度をほとんど低下させることなく、タンクの上下高さを低く抑えた状態でタンク容積を大きくできるようにするとともに、比較的簡単に成形し得る形状の各パーツで組立て得るようにした液体貯蔵タンクを提供することを目的としてなされたものである。
【課題を解決するための手段】
【００１２】
本願発明は、上記課題を解決するための手段として次の構成を有している。尚、本願発明は、液体貯蔵タンクを対象としたものであるが、本願発明で適用される液体貯蔵タンクとしては、例えば、ＬＰＧ、ＬＥＧ、ＬＮＧ等の液化ガスを貯蔵する高圧対応の液化ガスタンクや、その他の液体（例えば液状燃料や液体化学品等）を貯蔵する低圧対応の一般タンクがある。
【００１３】
［本願請求項１の発明］
本願請求項１の発明の液体貯蔵タンクは、筒形のタンク胴部の両端開口部をそれぞれ凸曲面状の鏡部で閉塞してなる横向き設置型のものである。
【００１４】
本願の液体貯蔵タンクの材質としては、炭素鋼板、合金鋼板、ステンレス鋼板、アルミニウム合金板等の金属板が採用可能である。
【００１５】
そして、本願請求項１の液体貯蔵タンクは、タンク胴部における該タンク胴部の軸線方向と直交する方向の断面形状が、上下高さの割りに左右幅を大きくした横長の長円形であることを特徴としている。
【００１６】
本願でいうタンク胴部における断面形状が横長の長円形とは、該タンク胴部の上面部及び下面部にそれぞれ所定幅の平面部を有し且つ該上下両平面部の左右各側縁間にそれぞれ半円形の側板部を連続させた形状のことである。従って、本願のタンク胴部の形状は、タンク胴部の断面形状において上面部及び下面部をそれぞれ湾曲させた楕円形のものとは異なるものである。
【００１７】
又、本願で取り扱う液体貯蔵タンクの大きさとしては、特に限定するものではないが、大型のものでは、例えば、長さが２０ｍ、左右幅が９.６ｍ、高さが７.４ｍ程度のものが適用可能であり、小型のものでは、タンク容積を例えば１００ｍ3程度まで小さくしたものが適用できる。そして、このような液体貯蔵タンクでは、タンク容積が小さいものでもタンク胴部及び各鏡部をそれぞれ所定形状で所定小面積の複数枚に分割した各パーツを製作しておき、それらの各パーツを順次溶接により連続させてタンクに成形することができる。
【００１８】
本願請求項１の液体貯蔵タンクでは、タンク胴部の上面部と下面部にそれぞれ所定幅（面積）の平面部を有しており、この各平面部はタンク内圧に対する強度が他の曲面部（タンク胴部の左右各側面部及び各鏡部）より低下するが、この各平面部におけるタンク表面積に対する面積割合は約１０％程度であって、タンク全体としてさほど大きな強度低下にならない。尚、タンク胴部における上記各平面部は、必要に応じて適宜の補強をすることで強度低下を回避することができる。
【００１９】
［本願請求項２の発明］
本願請求項２の発明は、上記請求項１の液体貯蔵タンクにおける基本パーツの各形状を特定したものであって、この請求項２の液体貯蔵タンクの各パーツは、次のように構成されている。
【００２０】
タンク胴部は、該タンク胴部の上面部及び下面部のそれぞれ幅方向中央部に配置される所定幅の上下各平面板とそれぞれ半円形状に折り曲げた左右各半円側板とを用いて、上記各平面板の側縁と上記各半円側板の側縁とを溶接して断面長円形の筒状に形成したものである。
【００２１】
各鏡部は、タンク胴部の平面板と同幅の板材を上下に半円形状に折り曲げた１つの半円曲板と球面を平面視において１／４に分割した形状の２つの１／４球面板とを用いて、上記半円曲板の各側縁と上記各１／４球面板の側縁とを溶接して凸曲面状に形成したものである。
【００２２】
又、上記タンク胴部の端部開口縁の形状と上記各鏡部の端縁の形状とは、相互に同形同大きさである。
【００２３】
尚、タンク胴部を構成する平面板と半円側板、及び各鏡部を構成する半円曲板と１／４球面板は、それぞれ所定面積に分割した分割パーツを所定枚数組付けて、それぞれ一連の形状（平面板、半円側板、半円曲板、１／４球面板）に成形できる。
【００２４】
そして、この請求項２の液体貯蔵タンクを構成する各パーツとして、タンク胴部の各平面板及び半円側板と、各鏡部の半円曲板及び１／４球面板は、それぞれ成形が比較的容易な形状となっている。
【００２５】
［本願請求項３の発明］
本願請求項３の発明は、上記請求項２の液体貯蔵タンクにおいて、タンク胴部の上下各平面板の板厚さを、該平面板以外のタンク構成板材（タンク胴部の半円側板、鏡部の半円曲板及び１／４球面板）の板厚さより厚くしていることを特徴としたものである。
【００２６】
ところで、液体貯蔵タンクにおいて、平面状のタンク壁面部分は曲面状のタンク壁面部分よりタンク内圧に対する強度が低くなるが、この請求項３の液体貯蔵タンクでは、タンク内圧に対する強度が低下する部分（タンク胴部の平面板部分）の板厚さを厚くすることで当該強度低下部分を補強している。尚、タンク胴部の各平面板部分は、その板厚さを厚くするほかに、必要に応じて他の補強手段を追加して補強することができる。
【００２７】
［本願請求項４の発明］
本願請求項４の発明は、上記請求項２又は３の液体貯蔵タンクにおいて、タンク胴部内に、上下の各平面板を上下に連結する連結支柱を、タンク胴部の長さ方向に間隔をもって複数本設置していることを特徴としたものである。
【００２８】
この請求項４のように、上下の各平面板を長さ方向に間隔をもった複数本の連結支柱で連結させていると、該両平面板が各連結支柱を介して一体化される。
【００２９】
［本願請求項５の発明］
本願請求項５の発明は、上記請求項２又は３の液体貯蔵タンクにおいて、タンク内に、上下の各平面板を上下に連結し且つタンク内の容積を左右に２分割する縦隔壁をタンクの全長に亘って介在させていることを特徴としたものである。
【００３０】
この請求項５のように、上下の各平面板を縦隔壁で上下に連結していると、上記請求項４と同様に両平面板が縦隔壁を介して一体化される。
【００３１】
又、タンク内の容積が縦隔壁で左右に小分け（２分割）されているので、この液体貯蔵タンクを船舶に搭載した場合のようにタンク内の貨液が左右に移動（スロッシング）したときのエネルギー（衝撃力）が小さくなると共に貨液の見かけの重心高さが低くなる。
【００３２】
尚、この請求項５において、縦隔壁には、その上端付近及び下端付近にそれぞれ連通口を設けておくと、左右の分割室内の各液面高さは相互に同じになる。この場合、縦隔壁の下端側の連通口は、開口面積が比較的小さいものがよい。又、縦隔壁に連通口を設ける場合は、該連通口（特に縦隔壁下端付近のもの）に開閉弁を設けて、該開閉弁をタンク外から開閉操作し得るようにしてもよい。
【発明の効果】
【００３３】
［本願請求項１の発明の効果］
本願請求項１の発明は、筒形のタンク胴部の両端開口部をそれぞれ凸曲面状の鏡部で閉塞してなる横向き設置型の液体貯蔵タンクにおいて、タンク胴部の断面形状を上下高さの割りに左右幅を大きくした横長の長円形にしたものである。
【００３４】
従って、本願請求項１の液体貯蔵タンクでは、円筒形のタンク胴部を採用した従来の液体貯蔵タンクに比して、タンク高さの割に（タンク高さを高くすることなく）タンク容積を大きくできるという効果がある。
【００３５】
又、この液体貯蔵タンクは、タンク胴部を断面横長の長円形とすることにより、船舶に容積効率よく据付けることができるが、このようにタンクを船舶に搭載する場合には、タンク容積を大きくしたものであってもタンク高さを低く抑えることができるので、該タンクが航行時の視界の邪魔になりにくいとともに、タンクの重心が高くならないのでタンク設置状態での船舶の安定性（復原性）を損なうことがないという効果がある。
【００３６】
さらに、タンク胴部を断面横長の長円形とすると、タンク胴部を構成する各パーツ（平面板と半円側板）の形状が単純になるので、それらの各パーツの製作や組立作業が上記した双胴型タンク（図１２及び図１３に示す括れ部があるもの）に比して簡単になる（コストダウンを図れる）という効果もある。
【００３７】
［本願請求項２の発明の効果］
本願請求項２の発明は、上記請求項１の液体貯蔵タンクにおいて、タンク胴部は、その上面部と下面部に配置される所定幅の上下各平面板とそれぞれ半円形状に折り曲げた左右各半円側板とを用いて断面長円形の筒状に形成したものであり、各鏡部は、板材を上下に半円形状に折り曲げた１つの半円曲板と球面を平面視において１／４に分割した形状の２つの１／４球面板とを用いて凸曲面状に形成したものである。即ち、タンク胴部及び各鏡部を構成する各パーツ（タンク胴部の各平面板及び半円側板と、各鏡部の半円曲板及び１／４球面板）がそれぞれ比較的製作容易な形状（単純な形状）となっている。
【００３８】
従って、この請求項２の液体貯蔵タンクでは、上記請求項１の効果に加えて、タンクを構成する各パーツの製作及び組立作業が上記した双胴型タンクに比して容易となるので、それら（各パーツの製作及び組立作業）のコストダウンを図ることができるという効果がある。
【００３９】
［本願請求項３の発明の効果］
本願請求項３の発明は、上記請求項２の液体貯蔵タンクにおいて、タンク胴部の上下各平面板の板厚さを、該平面板以外のタンク構成板材（タンク胴部の半円側板、鏡部の半円曲板及び１／４球面板）の板厚さより厚くしていることを特徴としたものである。
【００４０】
従って、この請求項３の液体貯蔵タンクでは、上記請求項２の効果に加えて、タンク内圧に対する強度が低下する部分（タンク胴部の平面板部分）の板厚さを厚くするという簡単な構成で当該強度低下部分を補強する（例えば曲面部のタンク壁面の強度レベル付近まで高める）ことができるという効果がある。
【００４１】
［本願請求項４の発明の効果］
本願請求項４の発明は、上記請求項２又は３の液体貯蔵タンクにおいて、タンク胴部内に、上下の各平面板を上下に連結する連結支柱を、タンク胴部の長さ方向に間隔をもって複数本設置していることを特徴としたものである。
【００４２】
このように、上下の各平面板を長さ方向に間隔をもった複数本の連結支柱で連結させていると、該両平面板が各連結支柱を介して一体化されるので、該両平面板が相互に補強し合うようになる。
【００４３】
従って、この請求項４の液体貯蔵タンクでは、上記請求項２又は３の効果に加えて、タンク胴部の各平面板部分を各連結支柱で補強することができるので、タンク内圧に対する強度が低下する部分（各平面板部分）を補強する（例えば曲面部のタンク壁面の強度レベル付近まで高める）ことができるという効果がある。
【００４４】
［本願請求項５の発明の効果］
本願請求項５の発明は、上記請求項２又は３の液体貯蔵タンクにおいて、タンク内に、上下の各平面板を上下に連結し且つタンク内の容積を左右に２分割する縦隔壁をタンクの全長に亘って介在させていることを特徴としたものである。
【００４５】
このように、上下の各平面板を縦隔壁で上下に連結させていると、両平面板が縦隔壁を介して一体化されるので、上記請求項４のものと同様に該両平面板が相互に補強し合うようになる。
【００４６】
従って、この請求項５の液体貯蔵タンクでは、上記請求項２又は３の効果に加えて、タンク胴部の各平面板部分を縦隔壁で補強することができるので、タンク内圧に対する強度が低下する部分（各平面板部分）を補強する（例えば曲面部のタンク壁面の強度レベル付近まで高める）ことができるという効果がある。
【００４７】
又、この請求項５の液体貯蔵タンクのように、タンク容積を縦隔壁で左右に小分け（２分割）していると、このタンクを船舶に搭載した場合において、航行時に船舶が左右又は前後に揺動してタンク内の貨液が左右又は前後に移動（スロッシング）したときのエネルギー（衝撃力）が小さくなりので、該スロッシングによるタンク壁面へのダメージを軽減できると共に貨液の見かけの重心高さが低くなるという効果もある。
【図面の簡単な説明】
【００４８】
【図１】本願請求項１〜４に対応する第１実施例の液体貯蔵タンクの斜視図である。
【図２】第１実施例の液体貯蔵タンクの正面図（図１のII矢視拡大図）である。
【図３】図２の平面図である。
【図４】図２の右側面図である。
【図５】図１の液体貯蔵タンクにおけるタンク壁面を構成する各パーツの分離状態を示す斜視図である。
【図６】図４（及び図８）のVI−VI断面図である。
【図７】図２（及び図８）のVII−VII断面図である。
【図８】図２（及び図６）のVIII−VIII断面図である。
【図９】本願請求項５に対応する第２実施例の液体貯蔵タンクの斜視図である。
【図１０】図９（第２実施例）の液体貯蔵タンクの中央水平断面相当図（第１実施例の図７相当図）である。
【図１１】図９（第２実施例）の液体貯蔵タンクの縦断面相当図（第１実施例の図８相当図）である。
【図１２】従来の双胴型タンクにおけるタンク長さの半分を断面とした平面図である。
【図１３】図１２の双胴型タンクにおけるタンク右半分を断面とした側面図である。
【発明を実施するための形態】
【００４９】
以下、図１〜図１１を参照して本願実施例の液体貯蔵タンクを説明すると、図１〜図８には本願請求項１〜４に対応する第１実施例を示し、図９〜図１１には本願請求項５に対応する第２実施例を示している。尚、本願各実施例の液体貯蔵タンクとしては、例えば、ＬＰＧ、ＬＥＧ、ＬＮＧ等の液化ガスを貯蔵する高圧対応の液化ガスタンクや、その他の液体（例えば液状燃料や液体化学品等）を貯蔵する低圧対応の一般タンク等があるが、いずれのタンクも比較的大型に形成されるものがある。
【００５０】
［図１〜図８の第１実施例］
この第１実施例の液体貯蔵タンクは、図１〜図４に示すように、筒状のタンク胴部２の長さ方向の両端開口部をそれぞれ凸曲面状の鏡部３，３で閉塞してタンク本体１を構成しているとともに、タンク胴部２における該タンク胴部２の軸線方向と直交する方向の断面形状を上下高さＨの割りに左右幅Ｗを大きくした横長の長円形に形成している。尚、この実施例の説明では、タンク胴部２の軸線方向を前後といい、該軸線方向に直交する水平方向を左右といい、該軸線方向に直交する上下方向を上下という。
【００５１】
この第１実施例で採用できる液体貯蔵タンク（タンク本体１）の大きさは、大型のものでは例えば（一例として）前後長さＬが２０ｍ、左右幅Ｗが９.６ｍ、上下高さＨが７.４ｍ程度のものを採用でき、小型のものではタンク容積を例えば１００ｍ3程度まで小さくしたものを採用できる。尚、これらの各寸法（又はタンク容積）は特に限定するものではなく、適宜に設計変更できるものである。又、以下に示すその他の各寸法（Ｍ、Ｒ、Ｓ、Ｔ１〜Ｔ４）も、それぞれ一例であって適宜に設計変更できるものである。
【００５２】
この液体貯蔵タンク（タンク本体１）を構成するタンク胴部２及び各鏡部３，３の材質としては、炭素鋼板や合金鋼板やステンレス鋼板やアルミニウム合金板等の金属板が使用可能である。そして、この第１実施例の液体貯蔵タンクは、図５に示すようにそれぞれ所定形状に成形した複数枚の各パーツを順次溶接により連続させて、図１〜図４に示すタンク本体１に成形したものであるが、タンク壁面を構成する各パーツの具体的な形状を以下に説明する。尚、この第１実施例のタンク本体１内には、図６〜図８に示すようにタンク壁面を補強する補強材４が設けられているが、この補強材４についてはタンク胴部２と各鏡部３，３の説明の後で説明する。
【００５３】
タンク胴部２は、その上面部及び下面部のそれぞれ幅方向中央部に配置される所定幅の上下各平面板２１，２１とそれぞれ半円形状に折り曲げた左右各半円側板２２，２２とを用いて、各平面板２１，２１の側縁２１ａ（図５）と各半円側板２２，２２の側縁２２ａ（図５）とを溶接して断面が横長の長円形の筒状に形成したものである。
【００５４】
タンク胴部２の前後長さＭ（図２、図３）は１２.６ｍであり、従って各平面板２１，２１及び各半円側板２２，２２の前後長さもそれぞれ１２.６ｍである。タンク胴部２の平面板２１の左右幅Ｓ（図３、図４）は２.２ｍである。タンク胴部２の半円側板２２は、前後方向から見た形状が真円の１／２長さであって、その曲率半径Ｒ（図２、図３、図４）は３.７ｍである。従って、半円側板２２の上下各側縁２２ａ，２２ａ（図５）間の上下高さＨ（図４）は７.４ｍとなる。
【００５５】
そして、上記２つの平面板２１，２１と上記２つの半円側板２２，２２とは、上下各平面板２１，２１の左右各側縁２１ａ，２１ａ（図５）と左右各半円側板２２，２２の上下一方の側縁２２ａ，２２ａ（図５）とを溶接（溶接部５，５）することで、前後方向から見て左右横長の長円形の筒状のタンク胴部２に成形されている。従って、このタンク胴部２は、上下高さＨ（７.４ｍ）の割に左右幅Ｗ（９.６ｍ）が大きい横長の長円形の筒状となっている。
【００５６】
尚、タンク胴部２を構成する各平面板２１，２１及び各半円側板２２，２２は、それぞれ単独でもかなりの大面積を有しており、該平面板２１及び半円側板２２を、それぞれ所定小面積に分割した各分割パーツを溶接により連続させて形成することができる。その場合、平面板２１は平面形状であり、半円側板２２は曲率の同じ半円形状であるので、それぞれ分割パーツの形状も単純（同形状）となり、該各分割パーツの成形及び平面板２１及び半円側板２２への組付けが容易に行える。
【００５７】
各鏡部３，３は、タンク胴部２の平面板２１と同じ左右幅Ｓ（２.２ｍ）の板材を上下に半円形状に折り曲げた１つの半円曲板３１と球面を平面視において１／４に分割した形状の２つの１／４球面板３２，３２とを用いて、半円曲板３１の各側縁３１ａ，３１ａ（図５）と各１／４球面板３２，３２の側縁３２ａ，３２ａ（図５）とを溶接（溶接部６，６）することで、凸曲面状に形成したものである。尚、この鏡部３における半円曲板３１部分は、上下に曲面状となっているが、水平方向は直線状のままである。
【００５８】
又、この各鏡部３，３の端縁の形状は、上記タンク胴部２の端部開口縁の形状（横長の長円形）と同形同大きさとなっていて、該各鏡部３，３の端縁とタンク胴部２の端部開口縁とが全周に亘って完全に接合するようになっている。
【００５９】
各鏡部３，３を構成する半円曲板３１及び１／４球面板３２も、それぞれ所定小面積に分割した分割パーツを所定枚数組付けて、それぞれ一連の形状（半円曲板３１、１／４球面板３２）に成形できる。又、１／４球面板３２は球面形状であるので成形が面倒であるが、この１／４球面板３２は、例えば図２〜図４に２点鎖線で区画表示しているように、周縁部分を複数枚（４枚）に分割した分割周縁板３３，３３・・とし中心側を１枚の半円板３４に分割することで、それらの各パーツ（３３、３４）の成形及び組付けを比較的容易に行えるようにしている。
【００６０】
そして、この第１実施例の液体貯蔵タンクは、上記タンク胴部２の両端開口縁と各鏡部３，３の端縁とを接合させ、その各接合部をそれぞれ全周に亘って溶接（溶接部７，７）することで、図１〜図４のようにタンク形状に組付けることができる。
【００６１】
ところで、この実施例では、タンク胴部２における各平面板２１，２１と各半円側板２２，２２の前後長さを同じに設定している関係でタンク胴部２の前後各端縁が同じ位置に揃っている一方、鏡部３における半円曲板３１と各１／４球面板３２，３２の各端縁も同じ位置に揃えているが、この場合は、タンク胴部２と鏡部３とを溶接したときに平面板２１と半円側板２２と半円曲板３１と１／４球面板３２との各端縁が十字状に接合する（十字継手となる）ことによって溶接強度が低下することが考えられる。そこで、他の実施例では、このような十字継手を避けるために、タンク胴部２における平面板２１と半円側板２２の各前後長さを少し異ならしめる一方、それに合わせて鏡部３における半円曲板３１の長さを調整することにより、タンク胴部２側の端面と鏡部３側の端面とを凹凸状に接合させた状態で溶接するようにしてもよい。
【００６２】
この第１実施例では、本願請求項３に対応する構成として、タンク胴部２の上下各平面板２１，２１の板厚さＴ１（図６、図８）を、該平面板２１以外のタンク構成板材の各板厚さＴ２〜Ｔ４（図６〜図８）より厚くしている。即ち、この第１実施例では、平面板２１の板厚さＴ１を３０mmとしている一方、タンク胴部２の半円側板２２の板厚さＴ２と、鏡部３の半円曲板３１の板厚さＴ３と、１／４球面板３２の板厚さＴ４とをそれぞれ１５mmに設定している（この例の場合、平面板２１の板厚さＴ１が他の部分のタンク壁面の板厚さＴ２〜Ｔ４の２倍程度になる）。
【００６３】
又、この第１実施例の液体貯蔵タンクには、図６〜図８に示すように、タンク胴部２の内部に前後長さ方向に所定間隔（例えば１ｍ間隔）をもって多数の補強材４，４・・を配設している。この各補強材４，４・・は、タンク胴部２の内周面と同形同大きさの外形をもつリング部４１と、該リング部４１の左右中央位置を上下に連結する連結支柱４２とを有したものである。
【００６４】
この各補強材４，４・・は、タンク胴部２の長さ方向に所定間隔（例えば１ｍ間隔）をもって各リング部４１をタンク胴部２の内周面に溶接して配置している。そして、各補強材４，４の設置状態では、リング部４１の左右中央位置にある連結支柱４２が、リング部４１の上辺部及び下辺部を介してタンク胴部２における上下の各平面板２１，２１を上下に連結する機能を有している。
【００６５】
この補強材４における連結支柱４２は、本願請求項４の構成に相当するものであるが、他の実施例では、補強材４としてリング部４１を設けないで、連結支柱４２の上下各端部を直接上下各平面板２１，２１の内面に溶接したものでもよい。尚、その場合には、連結支柱４２の上下各端部に平面板２１の幅程度の取付材を連結して、該各取付材を各平面板２１，２１に溶接するとよい。
【００６６】
この第１実施例の液体貯蔵タンクは、例えば液体貨物運搬船に搭載するタンクとして使用できるが、そのとき通常は該液体貯蔵タンクを前後長さ方向が横向きで断面横長の長円形部分が左右に向く状態で設置される。
【００６７】
そして、この第１実施例の液体貯蔵タンクでは、タンク胴部２を断面が横長の長円形に形成しているので、該タンク胴部を単に円筒形としたものよりタンク容積を大きくできる。即ち、この第１実施例の上記各寸法の液体貯蔵タンクの容積は、タンク全長を同一とした場合にタンク胴部が円筒形の同種タンクの容積より約４０％程度大きくなる。
【００６８】
又、この第１実施例の液体貯蔵タンクでは、タンク胴部２を断面横長の長円形にすることで、上記のようにタンク容積を大きくしたものでもタンクの上下高さを抑えることができる。このことは、この液体貯蔵タンクを船舶に搭載した場合に、タンク容積を大きくしたものであってもタンク高さを低く抑えることができるので、該タンクが航行時の視界の邪魔になりにくいとともに、タンクの重心が高くならないのでタンク設置状態での船舶の安定性（復原性）を損なうことがない、という機能を有するものである。
【００６９】
又、この第１実施例の液体貯蔵タンクでは、タンク胴部２は上下各平面板２１，２１と左右各半円側板２２，２２とを用いて断面長円形の筒状に形成したものであり、各鏡部３，３は１つの半円曲板３１と２つの１／４球面板３２，３２とを用いて凸曲面状に形成したものである。従って、タンク胴部２及び各鏡部３，３を構成する各パーツ（タンク胴部２の平面板２１及び半円側板２２と、鏡部３の半円曲板３１及び１／４球面板３２）がそれぞれ比較的製作容易な形状（単純な形状）であるので、タンク壁面を構成する各パーツの製作及び組立作業が、図１２及び図１３に示す双胴型タンク（括れ部Ｐ，Ｑがあるもの）に比して容易となる（コストダウンを図れる）。
【００７０】
ところで、液体貯蔵タンクにおいて、平面状のタンク壁面部分は曲面状のタンク壁面部分よりタンク内圧及びスロッシング（貨液移動による衝撃）に対する強度が低くなる。そして、この第１実施例においてタンク内圧（及びスロッシング）に対する強度が低くなる部分は、タンク胴部２の上下各平面板２１，２１の部分であるが、この各平面板２１，２１の面積はタンク本体１の全表面積に対して約１０％程度の比較的小面積であるので、強度面での弱化は比較的軽微である。
【００７１】
他方、この第１実施例では、タンク胴部２の上下各平面板２１，２１の板厚さＴ１を該平面板２１以外のタンク構成板材（２２、３１、３２）の各板厚さＴ２〜Ｔ４より厚くしていることにより、当該強度低下部分（各平面板２１，２１部分）を補強することができる（例えば曲面部のタンク壁面の強度レベル付近まで高めることができる）。
【００７２】
さらに、この第１実施例の液体貯蔵タンクでは、複数の補強材４，４・・の各連結支柱４２，４２・・でタンク胴部２の上下両平面板２１，２１を上下に連結しているので、該両平面板２１，２１が各連結支柱４２，４２・・を介して一体化されて、該両平面板２１，２１が相互に補強し合うようになる（強度の弱い平面板２１部分を補強できる）。
【００７３】
［図９〜図１１の第２実施例］
図９〜図１１に示す第２実施例の液体貯蔵タンクは、本願請求項５の構成に対応するものであるが、この第２実施例におけるタンク壁面を構成するタンク本体１の構成は、上記第１実施例のものと同じであるので該第１実施例の説明を援用する。又、この第２実施例の液体貯蔵タンクにも、タンク胴部２の内部に第１実施例の補強材４とほぼ同様な補強材４がタンク長さ方向に所定間隔（例えば１ｍ間隔）をもって並置されている。
【００７４】
そして、この第２実施例の液体貯蔵タンクにおいて、第１実施例と異なる構成は、タンク（タンク本体１）内に、上下の各平面板２１，２１を上下に連結し且つタンク内の容積を左右に２分割する縦隔壁４３をタンクの全長に亘って介在させていることである。
【００７５】
この縦隔壁４３は、各補強材４，４・・における各連結支柱４２，４２・・部分をその中心部で左右に２分割し（図１０及び図１１の符号４２ａ，４２ａ参照）、その連結支柱４２の各分割部４２ａ，４２ａで縦隔壁４３を左右から挟んだ状態で該縦隔壁４３を設置している。
【００７６】
この縦隔壁４３は、タンク胴部２内と前後の各鏡部３，３内に跨がる１枚状態で設置されていて、該縦隔壁４３でタンク本体１の全長に亘って該タンク本体１内の容積を２分割している。又、縦隔壁４３の上下各端部４３ａ，４３ｂは、それぞれタンク胴部２の上下各平面板２１，２１に溶接されていて、該縦隔壁４３を介して上下の平面板２１，２１を一体的に連結している。
【００７７】
このように、上下の各平面板２１，２１を縦隔壁４３で上下に連結させていると、両平面板２１，２１が縦隔壁４３を介して一体化されるので、該両平面板２１，２１が相互に補強し合うようになり、タンク内圧に対する強度が弱い各平面板２１，２１部分を補強することができる。
【００７８】
又、上記縦隔壁４３はタンク内の容積を左右に２分割しているが、このように縦隔壁４３でタンク内容積を左右に２分割していると、この液体貯蔵タンクを船舶に搭載した場合のようにタンク内の貨液が左右に移動（スロッシング）したときのエネルギー（衝撃力）が小さくなって、該スロッシングによるタンク壁面へのダメージを軽減できると共に貨液の見かけの重心高さを低くできる。
【００７９】
又、この第２実施例において、縦隔壁４３には、その上端付近及び下端付近にそれぞれ連通口を設けておくことができる。その場合は、左右の分割室内の下部にある貨液が下部側の連通口を通って各室に行き来できる一方、左右の分割室内の上部にあるガスが上部側の連通口を通って各室に行き来できるので、タンク内を左右２つの分割室に分割したものであっても、汲み上げポンプや液面計がそれぞれ１つでよい。尚、縦隔壁４３に上記連通口を形成する場合は、該連通口の口径は貨液やガスが流通し得る程度の小さいものでよい（連通口の口径が小さいと、各分割室への貨液の移動が急激に起こらないのでスロッシングによるダメージ及び液移動は小さいままである）。
【００８０】
尚、縦隔壁４３に上記連通口を形成したものでは、該連通口（特に縦隔壁下端付近のもの）に開閉弁を設けておいて、必要時に該開閉弁を開閉操作し得るようにしてもよい。
【図１】
2014151922.tif 000003
【図２】
2014151922.tif 000004
【図３】
2014151922.tif 000005
【図４】
2014151922.tif 000006
【図５】
2014151922.tif 000007
【図６】
2014151922.tif 000008
【図７】
2014151922.tif 000009
【図８】
2014151922.tif 000010
【図９】
2014151922.tif 000011
【図１０】
2014151922.tif 000012
【図１１】
2014151922.tif 000013
【図１２】
2014151922.tif 000014
【図１３】
2014151922.tif 000015